(57)【要約】【課題】本発明は、高倍速対応光ディスクメディアに対しデータ記録をする際に、回転数の制限をもったモータを搭載し、内周領域の記録ができない光ディスク記録装置であっても、データ記録を行うことができる光ディスク記録再生方法および光ディスク記録再生装置を提供することを目的とする。【解決手段】光ディスクに対しデータを記録する際に、光ディスクのデータ記録領域を内周領域と外周領域とに分け、外周領域の開始位置を前記光ディスクのデータ記録開始位置とし、前記データ記録開始位置より外周領域にのみデータ記録を行い、光ディスクの最外周領域に光ディスクの記録情報を書き込み、光ディスクの内周部の記録情報保持領域および最適パワー取得用領域に対しては無効となる情報の書き込みを行う。【選択図】図４
2006155714.tif 000002
【特許請求の範囲】
【請求項１】
光ディスクに対しデータの記録を行う光ディスク記録方法であって、
前記光ディスクのデータ記録領域を内周領域と外周領域とに分け、
前記外周領域にのみデータ記録を行うことを特徴とする光ディスク記録方法。
【請求項２】
前記光ディスクのデータ記録領域の外周領域の先頭位置を求めるには、内周領域の先頭位置にオフセット値を加算し求めることを特徴とする請求項１の光ディスク記録方法。
【請求項３】
前記光ディスクのデータ記録領域の外周領域の先頭位置と内周領域の先頭位置との差をオフセット値として、光ディスク内に有することを特徴とする請求項２の光ディスク記録方法。
【請求項４】
前記オフセット値を、前記光ディスクの最外周領域に記録したことを特徴とする請求項３記載の光ディスク記録方法。
【請求項５】
前記光ディスクに対しデータを記録する方向が内周から外周へ向かう場合には、ホストコンピュータから受信される記録論理アドレスに前記オフセット値を加算し、新たな記録論理アドレスを求め、その新たな記録論理アドレスから、メディア上の物理アドレスを求め、前記物理アドレスに対し、データ記録を行うことを特徴とする請求項３または請求項４記載の光ディスク記録方法。
【請求項６】
前記光ディスクの最外周領域に光ディスクの記録情報の書き込みおよび前記光ディスク最外周領域にて最適記録パワー取得を行うことを特徴とする請求項１から請求項５のいずれか１項に記載の光ディスク記録方法。
【請求項７】
前記光ディスクを高倍速対応光ディスクメディアとしたことを特徴とする請求項１から請求項６のいずれか１項に記載の光ディスク記録方法。
【請求項８】
前記オフセット値を光ディスクの特性による最低データ記録可能速度と光ディスク装置のデータ記録可能速度との関係から得ることを特徴とする請求項７記載の光ディスク記録方法。
【請求項９】
前記光ディスクに対しデータを記録する記録方法であって、
前記外周領域にデータを書込んだ後、
前記光ディスクの最外周領域に光ディスクの記録情報を書込み、
前記光ディスクの内周領域の記録情報保持領域および最適パワー取得用領域のデータが無効となる情報の書き込みを行うことを特徴とする請求項１から請求項８のいずれか１項に記載の光ディスク記録方法。
【請求項１０】
高感度の記録膜材料を使用する光ディスクメディアにデータを記録する記録方法であって、前記光ディスクの特性による最低データ記録可能速度と、光ディスク装置のデータ記録可能速度からオフセット値を求め、
前記オフセット値を前記光ディスク最外周領域に記録し、
ホストコンピュータから受信される記録論理アドレスに前記光ディスク最外周領域に記録したオフセット値を加算し新たな記録論理アドレスを求め、
前記新たな記録論理アドレスからメディア上の物理アドレスを求め、前記物理アドレスに対しデータ記録を行い、
記録情報を最外周領域に記録し、
内周部の記録情報保持領域、最適パワー取得用領域に対して無効となる情報の書き込みを行うことを特徴とする光ディスク記録方法。
【請求項１１】
前記光ディスクが多層メディアである場合には、基準層の最外周領域に各層毎の独立した前記オフセット値を有することを特徴とする請求項３から請求項１０のいずれか１項に記載の光ディスク記録方法。
【請求項１２】
前記光ディスク全体のデータ記録可能容量は、光ディスク各層のデータ記録可能容量の総和を計算することで求めることを特徴とする請求項１１記載の光ディスク記録方法。
【請求項１３】
前記光ディスクが多層メディアである場合にホストコンピュータから受信される記録または読み込み論理アドレスからメディア上の物理アドレスを求めるには、各層のオフセット値より前記記録論理アドレスが存在する層を求め、前記記録論理アドレスの前記層の論理開始アドレスからの相対アドレスを求め、前記相対アドレスと前記層の物理開始アドレスよりメディア上の物理アドレスを求めることを特徴とする光ディスク記録再生方法。
【請求項１４】
前記物理アドレスの存在する層における、記録または読み込みの方向が内周から外周へ向かう場合には、その層に対し初めて記録する記録開始位置と内周領域の先頭位置の差を、その層のオフセット値とすることを特徴とする請求項１３記載の光ディスク記録再生方法。
【請求項１５】
前記物理アドレスの存在する層における、記録または読み込みの方向が外周から内周へ向かう場合には、その層に対し最後に記録する記録最終位置と内周領域の先頭位置の差を、その層のオフセット値とすることを特徴とする請求項１３記載の光ディスク記録再生方法。
【請求項１６】
前記光ディスクよりの記録データの読み込みを行う光ディスク再生方法であって、
光ディスクが前記高倍速対応光ディスクメディアと判断された場合には、
光ディスクの最外周領域に記録したオフセット値を読み込み、
ホストコンピュータから受信した読み込み論理アドレスと前記光ディスクの最外周領域より読み込んだオフセット値を加算し、新たな読み込み論理アドレスを求め、
前記新たな読み込み論理アドレスからメディア上の物理アドレスを求め、前記物理アドレスに存在するデータを読み込むことを特徴とする光ディスク再生方法。
【請求項１７】
前記光ディスクが多層メディアである場合には、基準層の最外周領域に、各層毎の独立した前記オフセット値を有することを特徴とする請求項１６に記載の光ディスク再生方法。
【請求項１８】
光ディスクに光ビームを照射しデータを記録再生する光ピックアップ手段と、
前記光ディスクの半径方向に前記光ピックアップを移動する移動手段と、
前記光ディスクの回転速度を制御する回転速度制御手段と、
前記光ピックアップで記録再生したデータ信号を制御する信号制御手段と、
ホストコンピュータからのデータを受信する手段と、
光ピックアップより読み込んだオフセット値と前記ホストコンピュータからの記録アドレスを演算する演算手段と、を有し、
前記光ディスクの特性による最低データ記録可能速度と、光ディスク装置のデータ記録可能速度からオフセット値を求め、
前記オフセット値を前記光ディスク最外周領域に記録し、
ホストコンピュータから受信される記録論理アドレスに、前記光ディスク最外周領域に記録したオフセット値を前記演算手段にて加算し新たな記録論理アドレスを求め、
前記新たな記録論理アドレスからメディア上の物理アドレスを求めた後、その物理アドレスに対しデータ記録を行い、記録情報を最外周領域に記録し、
内周部の記録情報保持領域、最適パワー取得用領域に対して無効となる情報の書き込みを行うことを特徴とする光ディスク記録再生装置。
【請求項１９】
光ディスクよりの記録データの読み込みを行う光ディスク記録再生装置であって、
光ディスクに光ビームを照射しデータを記録再生する光ピックアップ手段と、
ホストコンピュータからのデータを受信する手段と、
光ピックアップより読み込んだオフセット値と前記ホストコンピュータの読み出し論理アドレスを演算する演算手段と、を有し、
光ディスクが前記高倍速対応光ディスクメディアと判断した場合には、
光ディスク外周領域に記録したオフセット値を読み込み、
ホストコンピュータから受信した読み出し論理アドレスと前記光ディスク外周領域より読み込んだオフセット値を前記演算手段にて加算し新たな読み込み論理アドレスを求め、
前記新たな読み込み論理アドレスから、メディア上の物理アドレスを求め、前記物理アドレスに存在するデータを読み込むことを特徴とする光ディスク記録再生装置。
【発明の詳細な説明】
【技術分野】
【０００１】
本発明は、記録速度が全体的に高い高倍速対応光ディスクメディアに対して記録を行う光ディスク記録再生方法および光ディスク記録再生装置に関するものである。
【背景技術】
【０００２】
光学記録再生用媒体として、ＣＤ、ＤＶＤ（Ｄｉｇｉｔａｌ  Ｖｅｒｓａｔｉｌｅ  Ｄｉｓｃ）、ＣＤ−Ｒ（書き込み可能なコンパクトディスク）、ＣＤ−ＲＷ（書き換え可能なコンパクトディスク）、記録型ＤＶＤ等の種々の光ディスクが開発されている。
【０００３】
記録型の光ディスクは、ユーザ要望により、光ディスクにデータを記録する記録速度が年々高速度化されてきている。特に記録型ＤＶＤは、多層化、高記録速度化が図られてきている。
【０００４】
また特にＤＶＤは、映像を含んだ情報を記録するため、映像のコマ落ちなどが発生しないようにデータ転送を一定にするように決められている。
【０００５】
光ディスクに情報を記録する方法としては、データ転送を一定にするため光ディスクの内周部でも外周部でも一定の移動距離（以下、線速度と呼ぶ）になるＣＬＶ方式の記録方式が一般的である。ＣＬＶ記録方式では、回転している光ディスクの線速度が一定となるためには、ディスクの半径方向において、内周部と外周部では光ディスクの回転速度が異なり光ディスクの回転速度は最内周部分を最も高くする必要がある。しかし、薄型のノート型パーソナルコンピュータなどに搭載される光ディスクドライブでは、光ディスクを回転させるモータの小型化によりモータトルクに制限があり回転速度には限度がある。
【０００６】
また、光ディスクへのデータの記録は規定により、データ領域の先頭位置から外周部に順に記録するように決められている。そこで、記録方式も前記ＣＬＶ記録方式だけでなく、光ディスクの内周部でも外周部でも一定の角速度で記録するＣＡＶ方式、内周部から外周部へ段階的に線速度を可変するＺ−ＣＬＶ方式や段階的に角速度を可変するＺ−ＣＡＶ方式などが用いられるようになってきた。
【０００７】
これらの光ディスクへ高速に記録する一例が（特許文献１）に述べられている。
【０００８】
また、光ディスクへ高速に記録するため、光ディスクもそれに対応して、記録膜の高感度化を図っている。
【特許文献１】特開２００３−２９６９３８号公報
【発明の開示】
【発明が解決しようとする課題】
【０００９】
しかしながら、光ディスクへの高倍速記録のため光ディスクの記録膜の改良を図り、光ディスク媒体自体の記録膜の感度を上げてくると、光ディスク媒体全体で感度が上がることになり、内周部での記録速度も高めることが必要となる場合がある。この場合、トルクが少なく回転数の制限をもったモータを搭載した薄型のノート用光ディスク記録装置などでは、所定の回転数を上げることができないため、データ領域の内周領域のデータ記録を行うことができない課題がある。さらに、光ディスクの最内周部に設定されている、記録情報保持領域や最適パワー取得領域にも情報の記録ができない課題があった。
【００１０】
本発明は、光ディスクの高倍速の記録を進めるため、光ディスクの回転数の制限をもった光ディスクにおいて、高倍速対応光ディスクメディアやその粗悪メディアなどで内周部に記録できないメディアであっても、コンピュータ本体側には係わらず、高倍速で記録再生できる光ディスク記録再生方法および光ディスク記録再生装置を提供することを目的とする。
【課題を解決するための手段】
【００１１】
かかる問題を解決するため、本発明の光ディスク装置は、光ディスクに対しデータの記録を行う光ディスク記録方法であって、前記光ディスクのデータ記録領域を内周領域と外周領域とに分け、前記外周領域にのみデータ記録を行う構成とする。
【発明の効果】
【００１２】
本発明の光ディスク装置は、記録速度が全体的に高い高倍速対応光ディスクメディアに対してモータの回転数に制限がある光ディスク装置にもデータの記録ができる光ディスク記録装置を提供できる。
【発明を実施するための最良の形態】
【００１３】
請求項１記載の発明は、光ディスクに対しデータの記録を行う光ディスク記録方法であって、前記光ディスクのデータ記録領域を内周領域と外周領域とに分け、前記外周領域にのみデータ記録を行う構成とする。
【００１４】
かかる構成によれば、光ディスクの記録速度の高い位置から記録でき、高速記録ができる光ディスク記録再生装置を提供できる。
【００１５】
請求項２記載の発明は、請求項１の発明において、光ディスクのデータ記録領域の外周領域の先頭位置を求めるには、内周領域の先頭位置にオフセット値を加算し求める構成とする。
【００１６】
かかる構成によれば、光ディスクの外周領域の先頭位置はオフセット値をもとに容易にに演算にて求めることができる。
【００１７】
請求項３記載の発明は、請求項２の発明において、前記光ディスクのデータ記録領域の外周領域の先頭位置と内周領域の先頭位置との差をオフセット値として、光ディスク内に有する構成とする。
【００１８】
かかる構成によれば、オフセット値が既に光ディスク内に記録してある場合、光ディスクの外周領域の先頭位置を演算にて求めることができる。
【００１９】
請求項４記載の発明は、請求項３記載の発明において、前記オフセット値を、前記光ディスクの最外周領域に記録した構成とする。
【００２０】
かかる構成によれば、記録速度が高く内周部には記録できないメディアでも記録できるようになる。
【００２１】
請求項５記載の発明は、請求項３または請求項４記載の発明において、光ディスクに対しデータを記録する方向が内周から外周へ向かう場合には、ホストコンピュータから受信される記録論理アドレスに前記オフセット値を加算し、新たな記録論理アドレスを求め、その新たな記録論理アドレスから、メディア上の物理アドレスを求め、前記物理アドレスに対し、データ記録を行う構成とする。
【００２２】
かかる構成によれば、ホストコンピュータとは独立して光ディスク装置自体の特性に合わせ書き込み位置を決定することができる。
【００２３】
請求項６記載の発明は、請求項１から請求項５のいずれか１項に記載の発明において、光ディスクの最外周領域に光ディスクの記録情報の書き込みおよび光ディスク最外周領域にて最適記録パワー取得を行う構成とする。
【００２４】
かかる構成とすれば、光ディスクの最外周領域で最適な記録情報の書込みおよび、最適記録パワーの取得ができるので、内周部には記録できないメディアにも対応することができる。
【００２５】
請求項７記載の発明は、請求項１から請求項６のいずれか１項に記載の発明において、光ディスクを高倍速対応光ディスクメディアとした構成とする。
【００２６】
かかる構成にすれば、高倍速対応光ディスクメディアに対して最適記録パワーで記録することができるようになる。
【００２７】
請求項８記載の発明は、請求項７記載の発明において、前記オフセット値を光ディスクの特性による最低データ記録可能速度と光ディスク装置のデータ記録可能速度との関係から得る構成とする。
【００２８】
かかる構成によれば、光ディスクと光ディスクドライブの記録再生の最適化を図ることができる。
【００２９】
請求項９記載の発明は、請求項１から請求項８のいずれか１項記載の発明において、光ディスクに対しデータを記録する記録方法であって、外周領域にデータを書込んだ後、光ディスクの最外周領域に光ディスクの記録情報を書込み、光ディスクの内周領域の記録情報保持領域および最適パワー取得用領域のデータが無効となる情報の書き込みを行う構成とする。
【００３０】
かかる構成によれば、本発明で記録した光ディスクのデータを従来の光ディスク装置に挿入しても、上書きしないようにすることができる。
【００３１】
請求項１０記載の発明は、高感度の記録膜材料を使用する光ディスクメディアにデータを記録する記録方法であって、前記光ディスクの特性による最低データ記録可能速度と、光ディスク装置のデータ記録可能速度からオフセット値を求め、前記オフセット値を前記光ディスク最外周領域に記録し、ホストコンピュータから受信される記録論理アドレスに前記光ディスク最外周領域に記録したオフセット値を加算し新たな記録論理アドレスを求め、前記新たな記録論理アドレスからメディア上の物理アドレスを求め、前記物理アドレスに対しデータ記録を行い、記録情報を最外周領域に記録し、内周部の記録情報保持領域、最適パワー取得用領域に対して無効となる情報の書き込みを行う構成とする。
【００３２】
かかる構成によれば、高感度の記録膜材料を使用する高倍速対応光ディスクメディアに対し、所望の倍速でのみ記録対応な光ディスクでもデータ記録が可能となる。
【００３３】
請求項１１記載の発明は、請求項３から請求項１０のいずれか１項記載の発明において、前記光ディスクが多層メディアである場合には、基準層の最外周領域に各層毎の独立した前記オフセット値を有する構成とする。
【００３４】
かかる構成によれば、基準層の最外周領域のみを読み出すことで、全層のオフセット
値が把握出来るため、各層毎に各層のオフセット値を有する構成に比較し、短時間でオフセット値が得られるという利点がある。
【００３５】
請求項１２記載の発明は、請求項１１記載の発明において、前記光ディスク全体のデータ記録可能容量は、光ディスク各層のデータ記録可能容量の総和を計算することで求める構成とする。
【００３６】
かかる構成によれば、多層メディアにおいて、特定された物理アドレスのデータ記録、データ読み込みが可能となる。
【００３７】
請求項１３記載の発明は、前記光ディスクが多層メディアである場合にホストコンピュータから受信される記録または読み込み論理アドレスからメディア上の物理アドレスを求めるには、各層のオフセット値より前記記録論理アドレスが存在する層を求め、前記記録論理アドレスの前記層の論理開始アドレスからの相対アドレスを求め、前記相対アドレスと前記層の物理開始アドレスよりメディア上の物理アドレスを求める構成とする。
【００３８】
かかる構成によれば、多層メディアの記録容量を各層ごとに把握するとともに光ディスク全体での記録管理ができるようになる。
【００３９】
請求項１４記載の発明は、前記物理アドレスの存在する層における、記録または読み込みの方向が内周から外周へ向かう場合には、その層に対し初めて記録する記録開始位置と内周領域の先頭位置の差を、その層のオフセット値とする構成とする。
【００４０】
かかる構成によれば、該当する層における記録または読み込みの方向が内周から外周へ向かう場合でも、正しくオフセット値を求めることが可能である。
【００４１】
請求項１５記載の発明は、請求項１３の発明において、物理アドレスの存在する層における、記録または読み込みの方向が外周から内周へ向かう場合には、その層に対し最後に記録する記録最終位置と内周領域の先頭位置の差を、その層のオフセット値とする構成とする。
【００４２】
かかる構成によれば、該当する層における記録または読み込みの方向が外周から内周へ向かう場合でも、正しくオフセット値を求めることが可能である。
【００４３】
請求項１６記載の発明は、光ディスクよりの記録データの読み込みを行う光ディスク再生方法であって、光ディスクが前記高倍速対応光ディスクメディアと判断した場合には、光ディスクの最外周領域に記録したオフセット値を読み込み、ホストコンピュータから受信した読み込み論理アドレスと前記光ディスクの最外周領域より読み込んだオフセット値を加算し、新たな読み込み論理アドレスを求め、新たな読み込み論理アドレスからメディア上の物理アドレスを求め、前記物理アドレスに存在するデータを読み込む構成とする。
【００４４】
かかる構成によれば、かかる構成によれば、本発明にて記録した光ディスクだけでなく従来の光ディスクを読み込むことができる。
【００４５】
請求項１７記載の発明は、前記光ディスクが多層メディアである場合には、基準層の最外周領域に、各層毎の独立した前記オフセット値を有する構成とする。
【００４６】
かかる構成によれば、基準層にて各層すべてのオフセット値を読み出すことができ、各層のアクセスが容易であるとともに、各層の読出し位置を早く求めることができるようになる。
【００４７】
請求項１８記載の発明は、光ディスクに光ビームを照射しデータを記録再生する光ピックアップ手段と、前記光ディスクの半径方向に前記光ピックアップを移動する移動手段と、前記光ディスクの回転速度を制御する回転速度制御手段と、前記光ピックアップで記録再生したデータ信号を制御する信号制御手段と、ホストコンピュータからのデータを受信する手段と、光ピックアップより読み込んだオフセット値と前記ホストコンピュータからの記録アドレスを演算する演算手段と、を有し、前記光ディスクの特性による最低データ記録可能速度と、光ディスク装置のデータ記録可能速度からオフセット値を求め、前記オフセット値を前記光ディスク最外周領域に記録し、ホストコンピュータから受信される記録論理アドレスに、前記光ディスク最外周領域に記録したオフセット値を前記演算手段にて加算し新たな記録論理アドレスを求め、前記新たな記録論理アドレスからメディア上の物理アドレスを求めた後、その物理アドレスに対しデータ記録を行い、記録情報を最外周領域に記録し、内周部の記録情報保持領域、最適パワー取得用領域に対して無効となる情報の書き込みを行う構成とする。
【００４８】
かかる構成によれば、光ディスクの記録速度の高い位置から記録でき、高速記録ができる光ディスク記録再生装置を提供できまた他のディスク装置で書き込むことがない光ディスク記録再生装置を提供できる。
【００４９】
請求項１９記載の発明は、光ディスクよりの記録データの読み込みを行う光ディスク記録再生装置であって、光ディスクに光ビームを照射しデータを記録再生する光ピックアップ手段と、ホストコンピュータからのデータを受信する手段と、光ピックアップより読み込んだオフセット値と前記ホストコンピュータの読み出し論理アドレスを演算する演算手段と、を有し、光ディスクが前記高倍速対応光ディスクメディアと判断した場合には、光ディスク外周領域に記録したオフセット値を読み込み、ホストコンピュータから受信した読み出し論理アドレスと前記光ディスク外周領域より読み込んだオフセット値を前記演算手段にて加算し新たな読み込み論理アドレスを求め、前記新たな読み込み論理アドレスから、メディア上の物理アドレスを求め、前記物理アドレスに存在するデータを読み込む構成とする。
【００５０】
かかる構成によれば、高倍速メディアに記録したデータを読み込むことができるようになる。
【００５１】
（実施の形態）
以下、本発明の実施の形態について詳細に説明する。
【００５２】
図１は、本発明の実施の形態に係わる光ディスク記録再生装置の構成を示したブロック図である。
【００５３】
図１に示すように、光ディスク装置は、ピックアッップモジュール１２、スピンドルモータ１３、フィードモータ１４、サーボモジュール１５、信号制御部１６、ＣＰＵ１７、メインメモリ１８、バッファメモリ１９、インターフェース１１０から構成されている。
【００５４】
そして、ホストコンピュータ１１１に接続され、ホストコンピュータ１１１から入力されるデータを記録可能な光ディスク１１に記録するとともに、光ディスク１１に記録されたデータをホストコンピュータ１１１に出力する。
【００５５】
光ピックアップ手段であるピックアップモジュール１２は、レーザ発光素子（図示せず）を有し、光ディスク１１にデータの書き込み、読み出し時にレーザ光の照射し記録または再生を行う。
【００５６】
スピンドルモータ１３は、光ディスク１１の回転を行う。
【００５７】
光ピックアップの移動手段であるフィードモータ１４は、光ピックアップモジュール１２をスピンドルモータ１３に近づいたり離れたり移動させる。
【００５８】
サーボモジュール１５は、フィードモータ１４の移動制御およびスピンドルモータ１３の回転数を制御する回転速度制御種である。
【００５９】
インタフェース１１０は、ホストコンピュータ１１１とのデータ信号の送信および受信を行う。ＣＰＵ１７はメインメモリ１８を備え、メインメモリ１８に記録されたプログラムにより、サーボモジュール１５の制御と信号処理１６及びホストコンピュータ１１１とのインタフェース１１０の制御および、記録アドレスの演算手段である。
【００６０】
バッファメモリ１９は、光ディスク１１に対してのデータを一時的に記憶する領域である。
【００６１】
図２は、本発明の実施の形態に係わる光ディスクの領域の構成を示す図である。
【００６２】
光ディスクの内周側から、パワー構成領域（Ｐｏｗｅｒ  Ｃａｌｉｂｒａｔｉｏｎ  Ａｒｅａ）であるＰＣＡ領域２０１、記録管理領域（Ｒｅｃｏｒｄｉｎｇ  Ｍａｎａｇｅｍｅｎｔ  Ａｒｅａ）であるＲＭＡ領域２０２、リードイン領域２０３、データ領域２０４、外周ＲＭＡ領域２０５、リードアウト領域２０６で構成している。また、図２に示すように、データ領域２０４は、内周（記録不可）領域２０４ａと、外周（記録可）領域２０４ｂで構成している。また、リードアウト領域２０６には外周ＰＣＡ領域２０６ａを含ませている。
【００６３】
リードイン領域２０３には、光ディスクの製造時に予め記録されている固有情報を含んでいる。データ記録領域の先頭位置は、外周領域２０４ｂの先頭位置とし、データ記録は外周領域２０４ｂのみで、内周領域２０４ａにはデータの記録をしない構成としている。
【００６４】
基準層である層番号１の外周ＲＭＡ領域２０５には、ＲＭＡ領域２０２の機能と同じものを持っており、さらに、オフセット領域２０７で示される、各層のオフセット値を各層の番号に対応させるための領域を持つ。例えば、層番号１はオフセット値Ａ１、層番号２はオフセット値Ａ２，層番号Ｍはオフセット値Ｍとし、このオフセット値で外周領域の先頭位置を求めることができる。
【００６５】
図３（ａ）は、ＺＣＬＶ記録方式での記録アドレスと記録速度の関係を示した図である。図３（ａ）に示すように、ＺＣＬＶ記録方式は、光ディスクの内周から外周にいくに従っていくつかの領域に分けて、領域内では、記録速度が一定で、外周にいくに従って記録速度を多角する記録方式である。これらの速度に対応する光ディスクメディアは、ユーザが記録する最高速度に対応したメディアを選択している。例えば、最高速度８Ｘの記録速度で記録するには最高速度８Ｘに対応したメディアを光ディスク装置に装着して使用する。
【００６６】
また、光ディスク装置の記録速度はさらに高速になる傾向があり、それに対応する光ディスクメディアも高感度材料を用いているため、光ディスク全体的に記録感度が上がっている。記録感度が上がった光ディスクメディアでは、内周部でも高速記録しなければ記録できないメディアが発生する。ノート型コンピュータなどに搭載するような軽量化、薄型化を狙ったスピンドルモータ１３の中には、トルクに限界があり高速回転ができないものがあり、この場合高速記録ができないため、光ディスク１１のデータ領域のうち内周領域には記録せず、所定の記録速度、例えば４Ｘ記録以上の範囲で記録するようにしている。この場合の光ディスクメディアの最低記録倍速は４Ｘである。
【００６７】
また、図３（ｂ）は、ＣＡＶ記録方式での記録アドレスと記録速度の関係を示した図である。
【００６８】
図３（ｂ）において、ＣＡＶ記録方式においても、ＺＣＬＶ記録方式と同様に光ディスク１１の内周側でスピンドルモータ１３のトルクが上がらず所定の記録速度、例えば４Ｘ記録速度以上の範囲で記録するようにしている。
【００６９】
各記録方式での最低記録速度は、光ディスク装置の記録能力および光ディスクの種類によって変わる。
【００７０】
次に、本発明の光ディスク記録再生装置の光ディスクへの基本的なデータ記録方法について説明する。
【００７１】
本発明の光ディスク記録再生装置では、スピンドルモータ１３のトルクが小さい光ディスク装置、例えばスリム光ディスク装置、ノートコンピュータ内蔵用光ディスク装置などで、高倍速対応光ディスクメディアを用いた場合、内周部の回転数が不足し、内周部のＰＣＡ領域２０１および内周部のＲＭＡ領域２０２は記録できないため、最外周領域である外周部に外周ＰＣＡ領域２０６ａ、および外周ＲＭＡ領域２０５を設けている。
【００７２】
高倍速対応光ディスクメディアの外周領域のみに記録を行うと、従来内周部のＲＭＡ領域２０２および内周部のＰＣＡ領域２０１に記録できていた記録情報領域に書込みができないため記録情報領域の情報が存在しないこととなるので、他ドライブでは、未記録メディアと認識され、上書きされることとなる。従って他ドライブで上書きされデータがなくなるのを防止するため、外周領域２０４ｂにデータを記録した場合には、内周ＰＣＡ領域２０１および内周ＲＭＡ領域２０２を高レーザパワーで無効なデータを記録し使用不可とする。これにより、他のドライブでは起動不可となりデータの上書きが発生をなくす事ができる。
【００７３】
また、高倍速対応光ディスクメディアに記録を行う場合、ホストコンピュータとは記録管理を独立させて行うようにし、ホストコンピュータから受信される記録アドレスにオフセット値を加算し、本来は内周側のデータでも外周領域２０４ｂのみにデータ記録を行う。
【００７４】
従って、ホストコンピュータ側には通常の光ディスク装置として扱うことができる。
【００７５】
また、オフセット値は光ディスク１１の記録サポート状況、ドライブ能力で同一とはならない。従って、外周領域２０４ｂの先頭位置は、光ディスク１１の特性による最低データ記録可能速度と光ディスク装置のデータ記録可能速度との関係から求め、データ書込みは外周領域２０４ｂの先頭位置から外周方向に記録する。また、外周領域２０４ｂの先頭位置２０４ｂは、オフセット値として光ディスク１１に記録する。本発明では、光ディスク１１の外周ＲＭＡ領域２０５内のオフセット領域２０７に保存しておきデータ追記およびデータの読み出し時にもオフセット値として利用する。
【００７６】
また、層番号１の最外周領域に記録された、各層のオフセット値を取得し、各層のデータ記録可能容量から各層のオフセット値を減算することで、各層の外周（記録可）領域の容量が算出できるため、高倍速対応光ディスクメディア全体のデータ記録可能容量は、各層の外周（記録可）領域の容量を全て加算することで求められる。
【００７７】
本発明の実施の形態では、オフセット値の分だけ記録アドレスがオフセットされて記録され、データ領域の内周領域２０４ａには記録しない構成としている。
【００７８】
また、本発明の実施の形態の光ディスク装置にてデータを読み出す場合には、ホストコンピュータから要求された読み込み用アドレスにデータが存在するときは、読み込み用アドレスのデータをホストコンピュータにデータ転送を行い、高倍速対応光ディスクメディアと判断されていたら高倍速対応光ディスクメディアに記録された外周ＲＭＡ２０５内のオフセット領域２０７の参照を行い、オフセット値が存在する場合にはホストコンピュータから要求された読み込みアドレスに外周ＲＭＡ２０５内のオフセット領域２０７のオフセット値を加算して読み込みアドレスを求め、求めた読み込みアドレスを用いてデータを読み出す。
【００７９】
図６は、多層メディアの物理アドレスを説明する図である。
【００８０】
多層メディアへの記録方法は、例えば層番号１は内周から外周方向に記録し、層番号２は外周方向から内周方向へ記録し、層番号３は内周から外周方向へと、隣り合う層番号毎に記録方向を逆にする構成としている。この構成にすると層の移動に伴う光ピックアップモジュールの移動距離が少なくなるので光ディスクへのアクセス速度の遅延を抑えることができる。
【００８１】
先ず、各層の記録開始論理アドレスと記録論理終了アドレスを求める。本実施の形態においては、層番号１は、光ディスクのデータ記録領域を内周領域と外周領域とに分ける。外周領域の先頭位置は、データ記録領域にオフセット値Ａ１を加算した位置とし、層番号１の記録論理開始アドレスＲＳ１とする。層番号１の記録論理終了アドレスＲＦ１は、層番号１の外周領域の終わりとする。次に層番号２は、外周から内周に向かって記録するため記録論理開始アドレスＲＳ２は、データ記録領域の外周側となり、層番号２の記録論理終了アドレスＲＦ２は、層番号２のデータ記録開始領域にオフセット値Ａ２を加算した位置とする。以下同様にして記録論理開始アドレスと記録論理終了アドレスを求める。
【００８２】
ここで、ＲＳ２＝ＲＦ１＋１、
ＲＳ３＝ＲＦ２＋１、…
とし、層番号１から層番号Ｎまで連続した記録論理アドレスとしている。
【００８３】
ホストコンピュータから受信された記録論理アドレスより、光ディスク上のどの層に該当するかを求め、該当する層の記録論理開始アドレスからの相対アドレスを求める。
【００８４】
光ディスクの物理アドレスを求めるには、各層の物理開始アドレスに相対アドレスを加算して求める。例えば、受信した記録論理アドレスが、層番号Ｌに該当し、その相対アドレスがＭとしたら、層番号Ｌの物理アドレスは、
物理記録アドレス＝物理記録開始アドレス＋オフセットＬ＋相対アドレスＭ…（式１）
として求める。
【００８５】
次に光ディスク記録再生装置のデータ記録動作について、フローチャートを用いて説明する。図４は、本発明に係わる光ディスク装置の記録動作を説明するフローチャートである。
【００８６】
光ディスク１１を光ディスク装置にセットし、光ディスク１１のリードイン２０３に書き込まれている製造情報を読み込む（Ｓ１１）。読み込んだ情報より、光ディスク１１が高倍速対応光ディスクメディア（高速メディア）かどうかを識別し（Ｓ１２）、高倍速対応光ディスクメディアであれば、光ディスク１１および光ディスクドライブの能力より、初期オフセット値を求める（Ｓ１３）。そしてホストコンピュータ要求の記録論理アドレスを読み込み（Ｓ１４）、記録方向が内周から外周へ向かう方向かどうか判断し（Ｓ１５）、光ディスク１１への記録方向が内周から外周へ向かう場合には、光ディスク外周ＲＭＡ２０５内のオフセット領域２０７にオフセット値が記録されているかどうか判断し（Ｓ１６）、オフセット値が記録されている場合には外周ＲＭＡ２０５内のオフセット領域２０７に記録されたオフセット値を読み込み（Ｓ１７）、ホストコンピュータから受信した記録論理アドレスと前記光ディスク外周ＲＭＡ２０５内のオフセット領域２０７より読み込んだオフセット値を加算し（Ｓ１８）、新たな記録論理アドレスを求める（Ｓ２０）。前記光ディスク外周ＲＭＡ２０５内のオフセット領域２０７にオフセット値が記録されていないならば、ホストコンピュータの記録アドレスに前記（Ｓ１３）で求められた初期オフセット値を加算し（Ｓ１９）、新たな記録論理アドレスを求める（Ｓ２０）。新たな記録論理アドレスからメディア上の物理アドレスを求めた後（Ｓ２１）、その物理アドレスに対し、データ記録を行う（Ｓ２２）。
【００８７】
データ記録中には、光ディスク１１の現在記録を行っている層の最大データ記録可能アドレスまで書込みが完了したかどうかを判定し（Ｓ２３）、最大データ記録可能アドレスまで書込みが済んでいなかったら、データの書込みが完了したかどうか確認し（Ｓ２４）データ記録完了まで繰り返す（Ｓ１４〜Ｓ２４）。
【００８８】
現在記録を行っている層の最大データ記録可能アドレスまで書込みが済んだ場合には、外周ＲＭＡ２０５に記録管理情報を記録し（Ｓ２５）、外周ＲＭＡ領域のオフセット領域２０７に現在記録を行っている層のオフセット値が存在するかどうか判断し（Ｓ２６）、外周ＲＭＡ領域のオフセット領域２０７にその層に対応するオフセット値が存在しない場合には、オフセット領域２０７に、現在記録している層のオフセット値を記録する（Ｓ２７）。そして、内周ＰＣＡ領域２０１、内周ＲＭＡ領域２０２の無効化を行い（Ｓ２８）、全層書き込み終わったどうかを判断し（Ｓ２９）、終わってなければ、次の層へ移動し（Ｓ３０）、記録を続ける（Ｓ１４）。
【００８９】
最大データ記録可能アドレスまで書込みが済まないで、データ書込みが完了したら（Ｓ２４）、外周ＲＭＡ２０５に記録管理記録すると共に（Ｓ３１）、内周ＰＣＡ領域２０１、内周ＲＭＡ領域２０２の無効化をし（Ｓ３２）、終了する（Ｓ３３）。
【００９０】
前記光ディスク１１への記録または読み込みの方向が外周から内周へ向かう場合には、その層に対し最後に記録する記録最終位置と内周領域の先頭位置の差を、オフセット値とする（Ｓ３４）。
【００９１】
なお、光ディスク１１が多層メディアの場合において、光ディスク１１にデータ記録を行うには、データ記録を行う物理アドレスを計算するために、前記（式１）を用いればよい。
【００９２】
光ディスク１１の判定（Ｓ１２）結果、高倍速対応光ディスクメディアでなかったら、記録速度を上げて記録するかどうかを確認し（Ｓ３５）、記録速度を上げて記録する場合には、記録速度を決定し（Ｓ３６）、その結果をもとにオフセット値を決定し（Ｓ３７）、データ書込み（Ｓ１４）を実行する。
【００９３】
高倍速対応光ディスクメディアでなく、記録速度も上げない場合には、従来の記録方法で、内周部より記録する（Ｓ３８）。
【００９４】
次に光記録再生装置のデータ読込動作について、フローチャートを用いて説明する。
【００９５】
図５は、光ディスク装置の読込動作を説明するフローチャートである。
【００９６】
光ディスク１１をセットし、ホストコンピュータからの要求アドレスを受信しホストコンピュータから要求された論理アドレスの読み出しを行う（Ｓ１３１）。高倍速対応光ディスクメディアかどうかを判断し（Ｓ１３２）、高倍速対応ディスクと判断されていない場合には、データを読み込んで、ホストコンピュータへデータを転送する（Ｓ１３８）。
【００９７】
高倍速対応光ディスクメディアと判断されていたら光ディスクの外周ＲＭＡ２０５内のオフセット領域２０７を参照し（Ｓ１３３）、外周ＲＭＡ２０５内のオフセット領域２０７にオフセット値があるかどうかを調べ（Ｓ１３４）、オフセット値がある場合、光ディスク１１への記録または読み込みの方向が内周から外周へ向かうかどうか判断し（Ｓ１３５）、内周から外周へ向かう場合には、ホストコンピュータからの要求アドレスにオフセット値を加算し（Ｓ１３６）読み込み論理アドレスを求めた後、読み込み論理アドレスからメディア上の物理アドレスを求める（Ｓ１３７）。
【００９８】
求めた物理アドレスのデータを読み込み、ホストコンピュータへデータを転送する（Ｓ１３８）。もし、外周ＲＭＡ領域２０５内のオフセット領域２０７にオフセット値がなかったら（Ｓ１３４）、読み込みが不可のメディアと識別して読み出し処理を停止する（Ｓ１３９）。
【００９９】
光ディスク１１への読み込みの方向が外周から内周へ向かう場合、現在の読込の層に対し読み出しを行う最終アドレスは、現在層の内周領域２０４ａの先頭位置に基準層の外周ＲＭＡ領域２０５内のオフセット領域２０７のオフセット値を加算したアドレスとする（Ｓ１４０）。
【０１００】
なお、光ディスクが多層メディアの場合において、光ディスクにデータ読み込みを行うには、データ読み込みを行う物理アドレスを計算するために、前記（式１）を用いればよい。
【産業上の利用可能性】
【０１０１】
本発明は、高倍速対応光ディスクメディアや粗悪メディアなど内周部に記録ができないメディアでもデータの記録ができるようになるため、回転トルクの小さなモータを搭載した小型の特に薄型の光ディスク記録再生方法および光ディスク記録再生装置に利用することができる。
【図面の簡単な説明】
【０１０２】
【図１】本発明の実施の形態に係わる光ディスク記録再生装置の構成を示したブロック図
【図２】本発明の実施の形態に係わる光ディスクの領域の構成を示す図
【図３】（ａ）ＺＣＬＶ記録方式での記録アドレスと記録速度の関係を示した図、（ｂ）ＣＡＶ記録方式での記録アドレスと記録速度の関係を示した図
【図４】本発明に係わる光ディスク装置の記録動作を説明するフローチャート
【図５】本発明に係わる光ディスク装置の読込動作を説明するフローチャート
【図６】多層メディアの物理アドレスを説明する図
【符号の説明】
【０１０３】
１１    光ディスク
１２    ピックアッップモジュール
１３    スピンドルモータ
１４    フィードモータ
１５    サーボモジュール
１６    信号制御部
１７    ＣＰＵ
１８    メインメモリ
１９    バッファメモリ
１１０    インターフェース
２０１    ＰＣＡ領域
２０２    ＲＭＡ領域
２０３    リードイン領域
２０４    データ領域
２０５    外周ＲＭＡ領域
２０６    リードアウト領域
【図１】
2006155714.tif 000003
【図２】
2006155714.tif 000004
【図３】
2006155714.tif 000005
【図４】
2006155714.tif 000006
【図５】
2006155714.tif 000007
【図６】
2006155714.tif 000008